(57)【要約】【課題】仮設風防ユニット上における作業の安全性等を向上するとともに、ブレースを桁方向及び梁間方向に設置した鋼製骨組を簡易且つ迅速に構築する。【解決手段】仮設風防ユニット(1)の骨組(30)は、軸芯方向に間隔を隔てて楔係合部(40)を配置した楔緊結式支柱(31)と、楔部材(50)の楔作用により楔係合部に緊結した楔緊結式の布材(32)及び腕木材(33)とを有する。支柱は、仮設風防ユニットを頂面を形成する最上層の床面又は屋根面から上方に突出して頂面に手摺支柱(10)を形成し、揚重機の吊り具(110)を係止又は係留可能な係止部又は係留部(11)が、手摺支柱に形成される。【選択図】図２
2015124599.tif 000002
【特許請求の範囲】
【請求項１】
架空構造物の両側に配置された左右の側部と、架空構造物の上側に配置され、左右の側部を連結する連結部とから構成され、前記側部及び連結部は、鋼製又は金属製の骨組と、該骨組の外面に取付けられたパネル材又はシート材とによって形成され、架空構造物の側面及び上面に作業室又は作業空間を画成する仮設風防ユニットにおいて、
仮設風防ユニットの頂面を形成する最上層の床面又は屋根面から前記骨組の支柱を上方に突出して該頂面に手摺支柱を形成し、揚重機の吊り具を係止又は係留可能な係止部又は係留部を前記手摺支柱に形成したことを特徴とする仮設風防ユニット。
【請求項２】
前記骨組は、軸芯方向に間隔を隔てて楔係合部を配置した楔緊結式支柱と、楔部材の楔作用により前記楔係合部に端部を緊結した楔緊結式の布材及び腕木材とを有し、
前記係止部又は係留部は、楔緊結式支柱に配置された前記楔係合部によって形成され、揚重機の吊り具は、楔部材を打ち込むために前記楔係合部に形成された開口部、或いは、前記楔係合部を構成するフランジ部に係合することにより、手摺支柱に係止又は係留することを特徴とする請求項１に記載の仮設風防ユニット。
【請求項３】
架空構造物の両側に配置された左右の側部と、架空構造物の上側に配置され、左右の側部を連結する連結部とから構成され、前記側部及び連結部は、鋼製又は金属製の骨組と、該骨組の外面に取付けられたパネル材又はシート材とによって形成され、架空構造物の側面及び上面に作業室又は作業空間を画成する仮設風防ユニットにおいて、
前記骨組は、軸芯方向に間隔を隔てて楔係合部を配置した楔緊結式支柱と、楔部材の楔作用により前記楔係合部に端部を緊結した楔緊結式の布材及び腕木材とを有し、
揚重機の吊り具を係止又は係留可能な係止部又は係留部が、楔緊結式支柱に所定間隔を隔てて配置された前記楔係合部によって形成され、揚重機の吊り具は、楔部材を打ち込むために前記楔係合部に形成された開口部、或いは、前記楔係合部を構成するフランジ部に係合することにより、前記支柱に係止又は係留することを特徴とする仮設風防ユニット。
【請求項４】
前記布材及び腕木材の端部が前記手摺支柱の楔係合部に緊結され、該布材及び腕木材は、仮設風防ユニットの頂面又は屋根面に手摺を形成することを特徴とする請求項２又は３に記載の仮設風防ユニット。
【請求項５】
前記布材又は腕木材によって支持された床材を有し、該床材は、複層階の前記作業室又は作業空間を前記側部に形成することを特徴とする請求項１乃至４のいずれか１項に記載の仮設風防ユニット。
【請求項６】
前記楔緊結式支柱の楔係合部によって支持された交差ブレースが、桁方向及び／又は梁間方向に配置されたことを特徴とする請求項２乃至４のいずれか１項に記載の仮設風防ユニット。
【請求項７】
架空構造物の両側に左右の側部を配置し、左右の側部を連結する連結部を架構構造物の上側に配置し、前記側部及び連結部を形成する鋼製又は金属製の骨組と、該骨組の外面に取付けられたパネル材又はシート材とによって、架空構造物の側面及び上面に作業室又は作業空間を画成する仮設風防ユニットの構築方法において、
軸芯方向に間隔を隔てて楔係合部を配置した楔緊結式支柱と、楔部材の楔作用により前記楔係合部に端部を緊結した楔緊結式の布材及び腕木材とによって前記骨組を構築し、
前記骨組の外面をパネル材又はシート材で覆うことにより、前記作業室又は作業空間を形成し、
前記楔緊結式支柱を最上層の床面又は屋根面から上方に突出させて仮設風防ユニットの頂面に手摺支柱を形成し、
揚重機の吊り具を前記手摺支柱に係止又は係留し、該揚重機によって仮設風防ユニットを昇降させて、前記架空構造物上に設置することを特徴とする仮設風防ユニットの構築方法。
【請求項８】
楔緊結式支柱に配置された前記楔係合部によって前記吊り具の係止部又は係留部を形成し、楔部材を打ち込むために前記楔係合部に形成された開口部、或いは、前記楔係合部を構成するフランジ部に対して前記吊り具を係合させることにより、該吊り具を手摺支柱に係止又は係留することを特徴とする請求項７に記載の構築方法。
【請求項９】
前記布材及び腕木材を前記手摺支柱の楔係合部に緊結し、該布材及び腕木材によって仮設風防ユニットの頂面又は屋根面に手摺を形成することを特徴とする請求項７又は８に記載の構築方法。
【請求項１０】
前記腕木材又は布材に床材を敷設して複層階の前記作業室又は作業空間を前記側部に形成し、前記楔緊結式支柱の楔係合部にブレース材を取付けて、交差ブレースを桁方向及び／又は梁間方向に配設することを特徴とする請求項７乃至９のいずれか１項に記載の構築方法。
【発明の詳細な説明】
【技術分野】
【０００１】
本発明は、仮設風防ユニットに関するものであり、より詳細には、橋梁等の架空構造物に対して仮設風防ユニットを設置する高所作業や、仮設風防ユニットの移設・点検等の高所作業における作業員の安全性及び作業性等を向上する仮設風防ユニットに関するものである。
【背景技術】
【０００２】
鋼構造橋梁等の架空構造物を建設する建設工事においては、溶接作業等の作業が風雨等の気象の影響を受けるのを防止すべく、風防設備が架空構造物に設置される。風防設備として、地上において門形に組み立てた状態でクレーン等の揚重機によって吊上げられ、架空構造物上に設置される仮設風防ユニットが知られている（特許文献１：特開２００２−２２７４０４号公報）。架空構造物上に設置した仮設風防ユニットは、揚重機によって吊上げられた状態で架空構造物に沿って移設され、或いは、架空構造物から地上に降下されて解体される。
【０００３】
特許文献１に記載された如く、従来の仮設風防ユニットは、鋼材を一体的に組付けて鋼製骨組を構築し、骨組の外面にシート又はパネル材を取付けて外面を全体的に覆うことにより形成される。地上で組み立てた門形の風防ユニットは、揚重機によって吊り上げられた状態で架空構造物の上方に位置決めされた後、架空構造物の上面及び側面を囲むように降下され、これにより、溶接作業や、ボルト連結等のための作業室又は作業空間を架空構造物の特定部位に形成する。
【０００４】
架空構造物の特定部位における溶接作業等が終了すると、風防ユニットは、揚重機等によって懸吊された状態で架空構造物に沿って移設され、溶接作業のための作業室又は作業空間を架空構造物の他の部位に形成する。
【０００５】
他方、建築物又は土木構造物の建設工事に使用される仮設足場として、枠組足場が知られている。枠組足場は、建枠を建込み、床付き布枠を作業用足場板として建枠の各層に架設することにより建造物の外壁面に構築され、建設工事の完了直前の適切な時期に解体される。
【０００６】
本出願人は、枠組足場の建枠及び布枠を用いて上記鋼製骨組を構築し、骨組の外面にパネル材を取付けて外面を全体的に覆うことにより仮設風防ユニットを構築し得ることを既に実証している。この種の仮設風防ユニットは、比較的短時間の作業により簡易且つ迅速に地上で組立てることができるので、極めて実用的である。
【０００７】
また、土木構造物又は建築構造物の建設工事に使用される枠組足場以外の形式の仮設足場として、単管足場及び楔緊結式足場が知られている。
【０００８】
単管足場は、建設工事の進捗に相応して単管（鋼管）を上層に順次建込む形式の仮設足場である。単管足場は、地盤面の敷板上に固定型ベース金具を所定間隔に配置し、鋼管製の建地を建込み、根がらみ、腕木、布、中桟、手摺及び筋交い等を構成する鋼管を緊結金具（クランプ金具）によって順次緊結し、足場板を腕木上に敷設することにより組立てられる。単管足場は、枠組足場と同じく、建設工事の完了直前の適切な時期に解体される。
【０００９】
楔緊結式足場は、鋼管製の支柱を建込み、単管足場と同様、腕木、布、中桟、手摺及び筋交い等を支柱に組み付けることにより構築される。但し、楔緊結式足場においては、楔係合部が支柱に設けられ、楔部材の楔作用によって腕木、布等の部材が楔係合部に緊結される（特許文献２：特開２０１３−１８９８１２号公報）。
【００１０】
単管足場又は楔緊結式足場を用いて風防ユニットを構築することは、過去に試みられていない。
【先行技術文献】
【特許文献】
【００１１】
【特許文献１】特開２００２−２２７４０４号公報
【特許文献２】特開２０１３−１８９８１２号公報
【発明の概要】
【発明が解決しようとする課題】
【００１２】
仮設風防ユニットを地上から揚重し、或いは、仮設風防ユニットを架空構造物から降下させる際、揚重機のフック等を仮設風防ユニットの頂部に係留し又は係止する作業が必要とされる。この種の作業は、仮設風防ユニットを架空構造物上で移設し、或いは、使用後の仮設風防ユニットを架空構造物から地上に降下させる際においても必要とされる。
【００１３】
図８は、揚重機のフック等を従来構成の仮設風防ユニットに係止又は係留する作業を概略的に示す仮設風防ユニットの斜視図である。
【００１４】
仮設風防ユニット１００（以下、ユニット１００という。）は、架空構造物Ｓの側面を覆う左右の側部１０１と、左右の側部１０１を相互連結する連結部１０２とから全体的に構成される。側部１０１及び連結部１０２は、鋼製骨組（図示せず）の外面に壁面パネル１０３及び頂面パネル１０４を取付けた構成を有する。パネル１０３、１０４は、風雨等の外界環境から保護された状態で架空構造物Ｓの溶接等を行なうための作業空間をユニット１００内に形成する。鋼製骨組は、前述のとおり、鋼材を組付けてなる鋼製骨組、或いは、枠組足場用の建枠及び布枠を組み立ててなる鋼製又は金属製の骨組である。
【００１５】
ユニット１００の頂面には、揚重機（図示せず）のフック１１０等を係留又は係止可能な環状のフック係合部１０５が配設される。フック係合部１０５は、ユニット１００の頂面角部に夫々配置され、ユニット１００の鋼製骨組に一体的に連結される。ユニット１００の上昇降下時には、揚重機は、複数のワイヤロープ１１１のフック１１０等を各フック係合部１０５に係止又は係留した状態でユニット１００を懸吊する。ユニット１００の頂面には、作業員がユニット頂面に上がるための開閉可能なハッチ１０６が配設される。揚重機の各フック１１０を各々のフック係合部１０５に係止又は係留する作業は、図８に示す如く、ユニット頂面に載った作業員によって実施される。
【００１６】
即ち、このようなフック係止又はフック係留作業においては、作業者が仮設風防ユニットの頂面に載り、揚重機のフック等を仮設風防ユニットの頂部に係止又は係留しなければならない。また、このように作業員が仮設風防ユニットの頂部に載る状況は、仮設風防ユニットの点検時や、安全確認時等においても生じる。このため、仮設風防ユニットは、この種の高所作業の安全性を確保するための安全手段を恒常的に備えることが望ましいが、従来の仮設風防ユニットは、そのような安全手段を備えていない。
【００１７】
また、鋼材を一体的に組付けた構成の鋼製骨組を用いた上記風防ユニットにおいては、仮設風防ユニットの構築に比較的多くの労力及び作業時間を要する。他方、枠組足場用の建枠及び布枠を用いた仮設風防ユニットにおいては、比較的短時間で簡易に風防ユニットを組立てることができるので、その点において有利である。しかしながら、枠組足場用の建枠及び布枠を用いた仮設風防ユニットでは、ブレース（筋交い）を桁方向又は奥行方向（架空構造物の軸線と平行な方向）に設置し得る反面、梁間方向又は間口方向（架空構造物の軸線と直交する方向）にブレースを設置することができず、このため、仮設風防ユニットの剛性を容易に向上し難いという課題がある。加えて、枠組足場用の建枠及び布枠を用いた仮設風防ユニットにおいては、上層の床材（布枠）又は頂板等を建枠に組付ける際、作業者の安全を確保する先行手摺を容易に形成し難いという問題も生じる。
【００１８】
本発明は、このような課題に鑑みてなされたものであり、その目的とするところは、仮設風防ユニットの頂面に載った作業員の安全性及び作業性等を向上するとともに、鋼製又は金属製の骨組を簡易且つ迅速に構築することができ、しかも、ブレースを骨組の桁方向及び梁間方向の双方に設置することができる仮設風防ユニットを提供することにある。
【課題を解決するための手段】
【００１９】
上記目的を達成すべく、本発明は、架空構造物の両側に配置された左右の側部と、架空構造物の上側に配置され、左右の側部を連結する連結部とから構成され、前記側部及び連結部は、鋼製又は金属製の骨組と、該骨組の外面に取付けられたパネル材又はシート材とによって形成され、架空構造物の側面及び上面に作業室又は作業空間を画成する仮設風防ユニットにおいて、
仮設風防ユニットの頂面を形成する最上層の床面又は屋根面から前記骨組の支柱を上方に突出して該頂面に手摺支柱を形成し、揚重機の吊り具を係止又は係留可能な係止部又は係留部を前記手摺支柱に形成したことを特徴とする仮設風防ユニットを提供する。
【００２０】
好ましくは、上記骨組は、軸芯方向に間隔を隔てて楔係合部を配置した楔緊結式支柱と、楔部材の楔作用により前記楔係合部に端部を緊結した楔緊結式の布材及び腕木材とを有する。なお、本明細書においては、仮設風防ユニットの桁方向又は奥行方向(通常は、架空構造物の軸線方向に沿う方向である。)に延びる横架材を布材として記載し、仮設風防ユニットの梁間方向又は間口方向に延びる横架材を腕木材として記載するものとする。
【００２１】
本発明は又、架空構造物の両側に配置された左右の側部と、架空構造物の上側に配置され、左右の側部を連結する連結部とから構成され、前記側部及び連結部は、鋼製又は金属製の骨組と、該骨組の外面に取付けられたパネル材又はシート材とによって形成され、架空構造物の側面及び上面に作業室又は作業空間を画成する仮設風防ユニットにおいて、
前記骨組は、軸芯方向に間隔を隔てて楔係合部を配置した楔緊結式支柱と、楔部材の楔作用により前記楔係合部に端部を緊結した楔緊結式の布材及び腕木材とを有し、
揚重機の吊り具を係止又は係留可能な係止部又は係留部が、楔緊結式支柱に所定間隔を隔てて配置された前記楔係合部によって形成され、揚重機の吊り具は、楔部材を打ち込むために前記楔係合部に形成された開口部、或いは、前記楔係合部を構成するフランジ部に係合することにより、前記支柱に係止又は係留することを特徴とする仮設風防ユニットを提供する。
【００２２】
他の観点より、本発明は、架空構造物の両側に左右の側部を配置し、左右の側部を連結する連結部を架構構造物の上側に配置し、前記側部及び連結部を形成する鋼製又は金属製の骨組と、該骨組の外面に取付けられたパネル材又はシート材とによって、架空構造物の側面及び上面に作業室又は作業空間を画成する仮設風防ユニットの構築方法において、
軸芯方向に間隔を隔てて楔係合部を配置した楔緊結式支柱と、楔部材の楔作用により前記楔係合部に端部を緊結した楔緊結式の布材及び腕木材とによって前記骨組を構築し、
前記骨組の外面をパネル材又はシート材で覆うことにより、前記作業室又は作業空間を形成し、
前記楔緊結式支柱を最上層の床面又は屋根面から上方に突出させて仮設風防ユニットの頂面に手摺支柱を形成し、
揚重機の吊り具を前記手摺支柱に係止又は係留し、該揚重機によって仮設風防ユニットを昇降させて、前記架空構造物上に設置することを特徴とする仮設風防ユニットの構築方法を提供する。
【００２３】
本発明の上記構成によれば、揚重機の吊り具を支柱に係止又は係留して、仮設風防ユニットを上昇・降下させることができることから、上昇・降下時に仮設風防ユニットに作用する引張力を骨組の鉛直軸組部材の軸力として骨組に伝達することができるので、安定した仮設風防ユニットの昇降作業を実施することができる。
【００２４】
また、楔緊結式支柱と楔緊結式の布材及び腕木材とを楔部材によって組付ける上記構成によれば、上記骨組を簡易且つ迅速に組立てることができ、しかも、このように布材及び腕木材を楔緊結式支柱に緊結する一体的な軸組構造においては、ブレースを桁方向及び梁間方向の双方に設置して、骨組の剛性を向上することができる。
【００２５】
更に、支柱の上方突出部により形成される手摺支柱に手摺を取付けることにより、手摺によって囲まれた安全な作業域を仮設風防ユニットの頂面に形成することができるので、最上層の床材又は頂板等を組付ける作業の安全性、作業性等や、仮設風防ユニット上の作業員の安全性、作業性等を向上することができる。
【００２６】
好ましくは、上記楔係合部は、楔緊結式支柱に一体的に固定されたフランジ部又は鍔部等からなり、揚重機の吊り具は、楔部材を打ち込むためのフランジ部等に係合することにより、手摺支柱に係止又は係留する。好適には、楔緊結式支柱のフランジ部に連結された交差ブレースが、桁方向及び／又は梁間方向の各面に配置される。
【００２７】
更に好ましくは、上記布材及び腕木材が手摺支柱の楔係合部に緊結され、布材及び腕木材は、恒常的な手摺を仮設風防ユニットの頂面又は屋根面に形成する。好適には、揚重機の吊り具は、中桟レベルに位置する手摺支柱の楔係合部に係止又は係留される。
【００２８】
本発明の好適な実施形態によれば、仮設風防ユニットは、上記腕木材又は布材によって支持された床材を有し、床材は、複層階の作業室又は作業空間を上記側部に形成する。
【発明の効果】
【００２９】
仮設風防ユニットの頂面に手摺支柱を形成した本発明の仮設風防ユニット及びその構築方法によれば、仮設風防ユニットの頂面に載った作業員の安全性及び作業性等を向上することができる。
【００３０】
また、楔緊結式の支柱、布材及び腕木材によって鋼製又は金属製の骨組を構成した本発明の仮設風防ユニット及びその構築方法によれば、簡易且つ迅速に骨組を構築することができ、しかも、ブレースを骨組の桁方向及び梁間方向の双方に設置することができる。
【図面の簡単な説明】
【００３１】
【図１】図１は、本発明に係る仮設風防ユニットに対して揚重機のフック等を係止又は係留する作業を概略的に示す仮設風防ユニットの斜視図である。
【図２】図２は、楔緊結式足場の構成要素を用いて鋼製骨組を地上に構築した仮設風防ユニットの実施例を示す部分破断正面図である
【図３】図３は、図２に示す仮設風防ユニットの部分破断側面図である。
【図４】図４は、図２及び図３に示す仮設風防ユニットの部分破断平面図である。
【図５】図５は、楔緊結式足場の構造を示す鋼製骨組の部分立面図及び部分横断面図である。
【図６】図６は、揚重機のフックを鋼製骨組に係留又は係止した状態を示す手摺支柱の部分立面図及び部分横断面図である。
【図７】図７は、仮設風防ユニットを架空構造物上に載置した状態を示す仮設風防ユニットの部分破断正面図である。
【図８】図８は、揚重機のフック等を従来構成の仮設風防ユニットに係止又は係留する作業を概略的に示す仮設風防ユニットの斜視図である。
【発明を実施するための形態】
【００３２】
以下、添付図面を参照して、本発明の好適な実施形態について詳細に説明する。
【００３３】
図１は、本発明に係る仮設風防ユニットに対して揚重機のフック等を係止又は係留する作業を概略的に示す仮設風防ユニットの斜視図である。
【００３４】
橋梁等の架空構造物Ｓに設置された仮設風防ユニット１（以下、ユニット１という。）は、架空構造物Ｓの側面を覆う左右の側部２と、左右の側部２を相互連結する連結部３とから全体的に構成される。側部２及び連結部３は、鋼製骨組（図示せず）の外面に壁面パネル４及び頂面パネル５を取付けた構成を有する。パネル４、５は、風雨等の外界環境から保護された状態で架空構造物Ｓの溶接等を行なう作業空間をユニット１内に形成する。
【００３５】
手摺支柱６が所定間隔を隔ててユニット１の頂面外縁部から上方に突出し、手摺７及び中桟８が、隣り合う手摺支柱６の間に架設される。ユニット１の側面の一部には、中桟８に換えて交差ブレース９が架設される。手摺組立体１０が、手摺支柱６、手摺７、中桟８及びブレース９によってユニット頂面の外周帯域に全周に亘って形成される。ユニット１の頂面には、作業員がユニット１内の空間から頂面上に上がるための開閉可能なハッチ又は扉２０が配設される。所望により、作業員がユニット１内の空間から架空構造物Ｓ上に移動するためのハッチ、ドア又は扉２１（破線で示す）が連結部３の壁面に配置される。また、ユニット１内の作業空間を換気するための換気扇２２が壁面パネル４の適所に配設される。
【００３６】
手摺支柱６には、揚重機（図示せず）のフック１１０等を係留又は係止可能なフック係合部１１が配設される。フック係合部１１は、ユニット頂面の各角部に配置された手摺支柱６に設けられ、手摺支柱６の中桟レベルに配置される。揚重機は、複数のワイヤロープ１１１によって各フック係合部１１を吊り上げる。
【００３７】
揚重機の各フック１１０を各々のフック係合部１１に係止又は係留する作業は、図１に示す如く、ユニット頂面に載った作業員によって実施される。手摺組立体１０がユニット頂面の全周に亘って延在するので、安全な作業域がユニット頂面に確保される。
【００３８】
本発明においては、このような手摺組立体１０を備えたユニット１の鋼製骨組を簡易且つ迅速に構築すべく、楔緊結式足場の構造が鋼製骨組の構造として採用される。
【実施例】
【００３９】
図２、図３及び図４は、楔緊結式足場の構成要素を用いて鋼製骨組を構築したユニット１の実施例を示す部分破断正面図、部分破断側面図及び部分破断平面図である。図５は、楔緊結式足場の楔緊結構造を示す鋼製骨組の部分立面図及び部分横断面図である。
【００４０】
図２〜図４に示す如く、鋼製骨組３０は、地上組立作業により地盤面ＧＬ上に組立てられ、支柱３１、布材３２、腕木材３３、床付き布枠３４、梯子３５及びブレース（筋交い）３６を組み付けた構成を有する。支柱３１は、最上層の床付き布枠３４から上方に鉛直に延出し、図１に示す手摺支柱６を形成する。また、最上層ＲＦの床付き布枠３４は、図１に示す頂面パネル５を構成する。なお、図４に示す如く、最上層床面の一部は、開閉可能なハッチ２０により形成される。
【００４１】
鋼製骨組３０の外側面には、壁面パネル４が取付けられる。壁面パネル４は、比較的高い遮音性能を有する防音パネル材からなり、連結具等（図示せず）によって支柱３１、布材３２及び腕木材３３に一体的に取付けられる。所望により、壁面パネル４は、吸音材を備え、壁面パネル４同士の継目は、シール材等により気密処理される。このようなユニット１の防音構造又は防音処理は、高力ボルト又は超高力ボルトの締付け時に発生する打撃音等の騒音を遮断する上で有効な騒音対策である。
【００４２】
かくして、壁面パネル４によって外周面を囲まれ、最上層の床付き布枠３４を最上層レベルＲＦに配設した鋼製骨組３０は、外界の気象変動等から保護された内部空間、即ち、溶接作業等のための作業空間を形成する。
【００４３】
鋼製骨組３０の内部空間は、第１〜３層Ｆ１：Ｆ２：Ｆ３からなる３層構成を有する。所望により、鋼製骨組３０の内部空間を１層又は２層構成、或いは、４層以上の複層構成に設計しても良い。
【００４４】
最下層（第１層）Ｆ１には、開閉扉又はドア３９が取付けられる。ユニット１を地上レベルにおいて組み付けた状態においては、作業者は、開閉扉３９の開口部を介してユニット１内の作業空間に入室し、或いは、ユニット１内の作業空間から退室することができる。また、作業員は、上下移動用に各層Ｆ１〜Ｆ３に設けられた梯子３５によって上下移動することができる。
【００４５】
支柱３１は、９０ｃｍ〜３．６ｍの全長（全高）、例えば、１．８ｍの全長（全高）を有する鋼製の支柱材３１'（図５）を直列に連結した構造を有する。支柱材３１'の接続部３７の構造が図５（Ａ）に示されている。下側の支柱材３１'の上端縮径部３１"が上側の支柱材３１'の下端開口に挿入され、Ｕ形連結具３８のピン部分が、支柱材３１'の下端部及び上端縮径部３１"に穿設されたピン挿入口（図示せず）に挿通され、これにより、上下の支柱材３１'が相互連結される。このように構成された接続部３７は、支柱３１の軸方向に作用する圧縮応力及び引張応力を伝達する。即ち、接続部３７は、地上におけるユニット１の組付け時に支柱３１に作用する軸方向圧縮力Ｐ１に抗するとともに、揚重機による上昇後に支柱３１に作用する軸方向引張力Ｐ２に抗する。
【００４６】
このようにして形成される接続部３７の強度は、図５に示す水平荷重ＰＨ、鉛直引張荷重ＰＴ及び鉛直圧縮荷重ＰＣに対し、以下の如く設定される。
・水平荷重ＰＨ≧２．６５ｋＮ（平均２．９４ｋＮ）、撓み量≦１９mm以下（ＰＨ＝１．４７ｋＮ時）
（好ましくは、ＰＨ≧４．０ｋＮ（平均４．０ｋＮ）、撓み量≦１５mm以下（ＰＨ＝１．４７ｋＮ時））
・鉛直引張荷重ＰＴ≧１４．７ｋＮ（平均１６．２ｋＮ）、伸び量≦０．９mm（ＰＴ＝８．８３ｋＮ時）
（好ましくは、ＰＴ≧２０．０ｋＮ（平均２０．０ｋＮ）、伸び量≦０．９mm（ＰＴ＝８．８３ｋＮ時））
・鉛直圧縮荷重ＰＣ≧３７．３ｋＮ（平均４１．２ｋＮ）
（好ましくは、ＰＣ≧４５．０ｋＮ（平均４５．０ｋＮ））
【００４７】
図２及び図３に示す如く、支柱３１は、所定間隔（本例では４５ｃｍ間隔）に配置されたフランジ部又は鍔部４０（以下、フランジ部４０という。）を有する。フランジ部４０は、楔係合部を構成する。図５に示す如く、各フランジ部４０は、支柱３１に一体化した金属部材からなり、９０度の角度間隔を隔てて配置された複数の開口部４１を備える。開口部４１は、布材３２と同方向に延びる一対の開口部４１ａ：４１ｃと、腕木材３３と同方向に配置された一対の開口部４１ｂ：４１ｄとから構成される。
【００４８】
布材３２又は腕木材３３は、フランジ部４０に連結可能な連結部３２ａ、３３ａを両端部に備える。連結部３２ａ、３３ａは、フランジ部４０を挟むように上下に分割される。連結用楔部材５０を挿入可能な開口部３２ｂ、３３ｂが、上側部分３２ｃ、３３ｃ及び下側部分３２ｄ、３３ｄに夫々形成される。開口部３２ｂ、３３ｂは、フランジ部４０の開口部４１に整列する。楔部材５０は、連結部３２ａ、３３ａの上下の開口部３２ｂ、３３ｂに挿入され、フランジ部４０の開口部４１を貫通する。楔部材５０の頭部は、ハンマー等の工具によって打撃され、打撃力Ｐ３によってフランジ部４０及び連結部３２ａ、３３ａに打ち込まれる。フランジ部４０及び連結部３２ａ、３３ａは、楔部材５０の楔作用により緊結され、一体的に連結される。なお、楔部材５０は、連結部３２ａ、３３ａから楔部材５０が抜け出すのを阻止する抜け止め防止用突起５１を有する。
【００４９】
このようにして緊結された楔緊結部の強度は、図５に示すように緊結部近傍に作用する下向き鉛直荷重ＰＤ及び上向き鉛直荷重ＰＵに対し、以下の如く設定される。なお、楔緊結部の強度は、同じ荷重ＰＤ、ＰＵが反対側の楔緊結部にも作用する条件で設定される。
・下向き鉛直荷重ＰＤ≧４．５ｋＮ（平均５ｋＮ）
（好ましくは、ＰＤ≧８ｋＮ（平均８ｋＮ）、更に好ましくは、ＰＤ≧１０ｋＮ（平均１０ｋＮ））
・上向き鉛直荷重ＰＵ≧４．５ｋＮ（平均５ｋＮ）
（好ましくは、ＰＵ≧８ｋＮ（平均８ｋＮ）、更に好ましくは、ＰＵ≧１０ｋＮ（平均１０ｋＮ））
・楔緊結部のすべり量≦５mm（鉛直荷重ＰＵ＝３．５ｋＮ時）
（好ましくは、すべり量≦０．５mm（ＰＵ＝３．５ｋＮ時））
【００５０】
前述した接続部３７の強度を有するとともに、このような楔緊結部の強度を有するユニット１によれば、ユニット１の昇降時にユニット１の有害又は有意な変形が生じないばかりでなく、架空構造物Ｓ上に設置した状態でユニット１の強度、耐力等に格別の支障が生じず、構造的に安定した仮設風防ユニットとして使用し得ることが判明した。
【００５１】
また、フランジ部４０には、ブレース材３６の端部を連結することができる。図２及び図３に示す如く、本例のブレース材３６は、交差した二本のブレース材３６の各上端部を布材３２又は腕木材３３の端部に予め枢着した構成を有する。ブレース材３６の上端部と、布材３２又は腕木材３３の端部とを連結する枢着部６０は、フランジ部４０の開口部４１に挿入される係止ピン（図示せず）を有する。
【００５２】
枢着部６０の反対側に位置する各ブレース材３６の下端部は、布材３２及び腕木材３３の連結部３２ａ、３３ａと同等の構造を有する（但し、ブレース材３６の下端部の形態及び細部構成は、連結部３２ａ、３３ａと相違する。）。各ブレース材３６の下端部は、楔部材５０の楔作用によりフランジ部４０に緊結され、フランジ部４０に一体的に連結される。ブレース材３６は、横力又は水平荷重に対するユニット１の剛性を向上するための補強材を構成する。
【００５３】
図２〜図４に示すユニット１の鋼製骨組３０は、地上において支柱材３１'を接続具３８によって上下に連結して支柱３１を上方に延長しながら、布材３２、腕木材３３及びブレース材３６等を下層側からフランジ部４０に順次連結又は係止することにより形成される。また、床付き布枠３４及び梯子３５は、支柱３１の間に架設された布材３２及び腕木材３３に対して順次敷設され又は取付けられる。
【００５４】
このような楔連結式の鋼製骨組３０によれば、第１層Ｆ１の支柱３１として建込まれる支柱材３１'の上部は、第２層Ｆ２のレベルよりも上方に突出させることができる。従って、第１層Ｆ１の構築過程において、第２層Ｆ２の床面レベルの上方に位置するフランジ部４０に第２層Ｆ２の布材３２、腕木材３３及びブレース材３６を先行して取付け、これにより、第２層Ｆ２の先行手摺を形成することができる。同様に、第３層Ｆ３の先行手摺を第２層Ｆ２の構築過程において形成し、最上層ＲＦの先行手摺を第３層Ｆ３の構築過程において形成することができる。
【００５５】
最上層ＲＦの先行手摺として形成された支柱３１の上方突出部分は、手摺支柱６を構成する。手摺支柱６のフランジ部４０に緊結された布材３２、腕木材３３及びブレース材３６は、図１に示す手摺組立体１０の手摺７、中桟８及び交差ブレース９を構成する。
【００５６】
最上層ＲＦの床付き布枠３４が敷設され、ハッチ２０が取付けられることにより、鋼製骨組３０が構築され、しかる後、壁面パネル４等が鋼製骨組３０の外面に取付けられる。なお、壁面パネル４の取付け工程を鋼製骨組３０の構築工程と同時に実行することも可能である。
【００５７】
かくして完成した地上のユニット１は、揚重機（図示せず）によって上昇され、図１に示す如く、架空構造物Ｓ上に設置される。
【００５８】
図６は、ユニット１を上昇させるために揚重機のフック１１０を鋼製骨組３０に係留又は係止した状態を示す手摺支柱６の部分立面図及び部分横断面図である。
【００５９】
揚重機の吊り具を構成するフック１１０の先端部は、手摺支柱６に位置するフランジ部４０の開口部４１に挿入され、フランジ部４０に係合し、これにより、フック１１０は、フランジ部４０に係止又は係留される。作業員は、図１に示す如く手摺組立体１０によってユニット頂面に形成された安全な作業域において、この作業を実行することができる。
【００６０】
図６に矢印で示す如く、ワイヤーロープ１１１は、揚重機によって斜め上方に引っ張られ、フランジ部４０は、揚重機によって吊り上げられ、上昇される。上昇時にユニット１に作用する引張力は、鉛直軸組部材の軸力として鋼製骨組３０の支柱３１に伝達するので、安定した状態でユニット１を上空に吊り上げることができる。
【００６１】
なお、フック１１０に換えて、揚重機の吊り具を構成するシャックル（図示せず）を用いても良い。シャックルは、手摺支柱６を囲むように配置され、シャックルのボルト部分１１２（図６に破線で示す）がフランジ部４０の下側に配置される。シャックル本体に巻き掛けられたワイヤーロープ１１１は、揚重機によって斜め上方に引っ張られ、ボルト部分１１２は、フランジ部４０及び手摺支柱６に係合し、図６に矢印で示す如く、手摺支柱６を斜め上方に押し上げる。
【００６２】
図７は、ユニット１を架空構造物Ｓ上に載置した状態を示すユニット１の部分破断正面図である。
【００６３】
ユニット１は、架空構造物Ｓの上方に上昇され、側部２によって架空構造物Ｓを跨ぐように降下される。ユニット１は、地上組立時に支柱３１に固定された梁材８０を備える。梁材８０は、左右の側部２を架橋するように連結部３の下側に延在する。梁材８０は、ユニット１の降下により架空構造物Ｓの上面に載置され、ユニット１の荷重は、梁材８０を介して架構構造体Ｓに載荷される。
【００６４】
かくして架空構造物Ｓ上に設置されたユニット１に対し、ユニット１の横揺れ挙動等を防止又は抑制するための水平な補強部材８１が、架空構造物Ｓの下側面に沿って配置される。補強部材８１は、左右の側部２を架橋するように支柱３１に連結され、係留具８２によって架空構造物Ｓに係止又は係留される。
【００６５】
更に、布材又は腕木材等の横架材８３が、左右の側部２を架橋するように補強部材８１の下側に架設される。横架材８３には、床付き布枠８４が敷設される。
【００６６】
以上、本発明の好適な実施例について詳細に説明したが、本発明は上記実施例に限定されるものではなく、特許請求の範囲に記載された本発明の範囲内で種々の変形又は変更が可能である。
【００６７】
例えば、上記実施例の説明においては、地上組立後の仮設風防ユニットを架空構造物上に移動するための昇降作業について説明したが、架空構造物に沿って仮設風防ユニットを移動させる際、或いは、架空構造物上の仮設風防ユニットを地上に降下させて解体する際においても、揚重機を用いた同様のユニット昇降作業が実施される。
【００６８】
また、上記仮設風防ユニットの桁方向及び梁間方向のスパン数、寸法等は、架空構造物の断面に相応して適宜設計変更することができる。
【００６９】
更に、揚重機のワイヤロープの本数や、ワイヤロープを係止又は係留すべき手摺支柱の位置等については、状況に応じて適宜変更することが可能である。
【００７０】
また、上記実施例においては、パネル材により外壁面を形成しているが、可撓シート材料等のシート材によって外壁面を形成しても良く、また、上記実施例では、平板形態のフランジ部を楔係合部として備えた楔緊結式支柱を使用しているが、コの字形又は箱形形態等の他の形態の楔係合部を備えた楔緊結式支柱を用いて鋼製骨組を使用し、或いは、合金製の楔緊結式支柱を用いて骨組を形成しても良い。
【産業上の利用可能性】
【００７１】
本発明は、鋼構造橋梁等の架空構造物を建設する建設工事において使用される仮設風防ユニットに適用される。本発明の仮設風防ユニットは、最上層の床面又は屋根面から上方に突出する骨組支柱によってユニット頂面に手摺支柱を形成することにより、最上層の床材又は頂板等を組付ける作業の安全性・作業性や、架設風防ユニット上の作業員の安全性・作業性を向上することができ、また、楔緊結式の支柱、布材及び腕木材を用いることにより、ブレースを桁方向及び梁間方向の双方に設置した鋼製骨組を簡易且つ迅速に構築することができるので、その実用的効果は、顕著である。
【符号の説明】
【００７２】
１  仮設風防ユニット
２  側部
３  連結部
４  壁面パネル
５  頂面パネル
６  手摺支柱
７  手摺
８  中桟
９  交差ブレース
１０  手摺組立体
１１  フック係合部
２０  ハッチ
３０  鋼製骨組
３１  支柱
３１'  支柱材
３２  布材
３３  腕木材
３４  布枠
３５  梯子
３６  ブレース材
３７  接続部
３８  接続具
４０  フランジ部又は鍔部(楔係合部)
４１  開口部
５０  連結用楔部材
１１０  フック(揚重機の吊り具)
１１１  ワイヤロープ(揚重機のワイヤロープ)
Ｓ  架空構造物
Ｆ１〜Ｆ３  第１〜３層レベル
ＲＦ  最上層レベル
ＧＬ  地盤面
【図１】
2015124599.tif 000003
【図２】
2015124599.tif 000004
【図３】
2015124599.tif 000005
【図４】
2015124599.tif 000006
【図５】
2015124599.tif 000007
【図６】
2015124599.tif 000008
【図７】
2015124599.tif 000009
【図８】
2015124599.tif 000010